【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
少なくとも１．０重量％の２３℃での水中溶解度を有する水溶性ポリアミドコポリマーであって、カプロラクタムと、アジピン酸および１４８〜３９６の分子量を有し、一般式
Ｈ２Ｎ−Ｒ１−Ｏ−Ｒ２−Ｏ−Ｒ１−ＮＨ２
（式中、Ｒ１およびＲ２は−ＣＨ２−ＣＨ２−または−ＣＨ２−ＣＨ２−ＣＨ２−のいずれかである）、
Ｈ２Ｎ−Ｒ１（−Ｏ−ＣＨ２−ＣＨ２−）ｘＯ−Ｒ１−ＮＨ２
（式中、Ｒ１は−ＣＨ２−ＣＨ２−または−ＣＨ２−ＣＨ２−ＣＨ２−のいずれかであり、Ｘは２〜６の平均値を有する）によって表されるエーテルジアミン、およびそれらの混合物との反応から誘導される水溶性ポリアミドコポリマーを含むことを特徴とする包装材料。
【請求項２】
水溶性ポリアミド包装材料を製造する方法であって、
（ｉ）フィルムとしての水溶性ポリアミドコポリマーを形成する工程であって、前記ポリアミドが、５０未満、好ましくは１０〜３５の間のＲＶ、少なくとも１．０重量％の２３℃での水中溶解度および５〜１０ミルのフィルムが１時間未満、好ましくは３０分未満で溶解するような速度を有し、カプロラクタムと、アジピン酸および１４８〜３９６の分子量を有し、一般式
Ｈ２Ｎ−Ｒ１−Ｏ−Ｒ２−Ｏ−Ｒ１−ＮＨ２
（式中、Ｒ１およびＲ２は−ＣＨ２−ＣＨ２−または−ＣＨ２−ＣＨ２−ＣＨ２−のいずれかである）、
Ｈ２Ｎ−Ｒ１（−Ｏ−ＣＨ２−ＣＨ２−）ｘＯ−Ｒ１−ＮＨ２
（式中、Ｒ１は−ＣＨ２−ＣＨ２−または−ＣＨ２−ＣＨ２−ＣＨ２−のいずれかであり、Ｘは２〜６の平均値を有する）によって表されるエーテルジアミン、およびそれらの混合物との反応から誘導される工程と、
（ｉｉ）工程（ｉ）においてこうして形成された前記フィルムを、対象材料を中に置くために適する容器に成形する工程と、
（ｉｉｉ）工程（ｉｉ）において形成された前記容器内に前記対象材料を堆積させる工程と、
（ｉｖ）前記対象材料を前記容器内に保持するように前記容器を密封する工程と
を含むことを特徴とする方法。
【請求項３】
対象材料内に散在させた水溶性ポリアミドを含むことによって対象材料のための包装を製造する方法であって、
（ｉ）包装しようとする前記材料を提供する工程と、
（ｉｉ）工程（ｉ）で提供された材料に、少なくとも１．０重量％の２３℃での水中溶解度を有する水溶性ポリアミドコポリマーであって、カプロラクタムと、アジピン酸および１４８〜３９６の分子量を有し、一般式
Ｈ２Ｎ−Ｒ１−Ｏ−Ｒ２−Ｏ−Ｒ１−ＮＨ２
（式中、Ｒ１およびＲ２は−ＣＨ２−ＣＨ２−または−ＣＨ２−ＣＨ２−ＣＨ２−のいずれかである）、
Ｈ２Ｎ−Ｒ１（−Ｏ−ＣＨ２−ＣＨ２−）ｘＯ−Ｒ１−ＮＨ２
（式中、Ｒ１は−ＣＨ２−ＣＨ２−または−ＣＨ２−ＣＨ２−ＣＨ２−のいずれかであり、Ｘは２〜６の平均値を有する）によって表されるエーテルジアミン、およびそれらの混合物との反応から誘導される水溶性ポリアミドコポリマーを散在させる工程と、
（ｉｉｉ）工程（ｉｉ）において前記水溶性ポリアミドを散在させた工程（ｉ）における前記材料を対象用途のために適する固体形状に成形する工程と
を含むことを特徴とする方法。
【手続補正２】
【補正対象書類名】明細書
【補正対象項目名】００５１
【補正方法】変更
【補正の内容】
【００５１】
本明細書で開示された主題の変形ならびに修正のいかなる数も行うことが可能であり、本明細書における本発明の範囲内として意図されていることが容易に明らかであろう。
本出願は、特許請求の範囲に記載の発明を含め、以下の発明を包含する。
（１）  少なくとも１．０重量％の２３℃での水中溶解度を有する水溶性ポリアミドコポリマーであって、カプロラクタムと、アジピン酸および１４８〜３９６の分子量を有し、一般式
Ｈ２Ｎ−Ｒ１−Ｏ−Ｒ２−Ｏ−Ｒ１−ＮＨ２
（式中、Ｒ１およびＲ２は−ＣＨ２−ＣＨ２−または−ＣＨ２−ＣＨ２−ＣＨ２−のいずれかである）、
Ｈ２Ｎ−Ｒ１（−Ｏ−ＣＨ２−ＣＨ２−）ｘＯ−Ｒ１−ＮＨ２
（式中、Ｒ１は−ＣＨ２−ＣＨ２−または−ＣＨ２−ＣＨ２−ＣＨ２−のいずれかであり、Ｘは２〜６の平均値を有する）によって表されるエーテルジアミン、およびそれらの混合物との反応から誘導される水溶性ポリアミドコポリマーを含むことを特徴とする包装材料。
（２）  前記水溶性ポリアミドと一種以上のポリアミド形成性コモノマーとのコポリアミドを更に含むことを特徴とする（１）に記載の包装材料。
（３）  フィルム、パウチ、バッグ、ボトルまたはジャーの形態の（１）に記載の包装材料。
（４）  水溶性タブレットおよびブリケットのために適するバインダー材料としての（１）に記載の包装材料。
（５）  前記水溶性ポリアミドが５０未満の相対粘度を有することを特徴とする（１）に記載の包装材料。
（６）  前記水溶性ポリアミドの相対粘度が１０と３５の間であることを特徴とする（５）に記載の包装材料。
（７）  前記ポリアミドの水中溶解度が、前記ポリアミドから形成された５〜１０ミルのフィルムが１時間未満で溶解するような速度であることを特徴とする（１）に記載の包装材料。
（８）  前記溶解速度が５〜１０ミルのフィルムが３０分未満で溶解するような速度であることを特徴とする（７）に記載の包装材料。
（９）  水溶性ポリアミド包装材料を製造する方法であって、
（ｉ）フィルムとしての水溶性ポリアミドコポリマーを形成する工程であって、前記ポリアミドが、５０未満、好ましくは１０〜３５の間のＲＶ、少なくとも１．０重量％の２３℃での水中溶解度および５〜１０ミルのフィルムが１時間未満、好ましくは３０分未満で溶解するような速度を有し、カプロラクタムと、アジピン酸および１４８〜３９６の分子量を有し、一般式
Ｈ２Ｎ−Ｒ１−Ｏ−Ｒ２−Ｏ−Ｒ１−ＮＨ２
（式中、Ｒ１およびＲ２は−ＣＨ２−ＣＨ２−または−ＣＨ２−ＣＨ２−ＣＨ２−のいずれかである）、
Ｈ２Ｎ−Ｒ１（−Ｏ−ＣＨ２−ＣＨ２−）ｘＯ−Ｒ１−ＮＨ２
（式中、Ｒ１は−ＣＨ２−ＣＨ２−または−ＣＨ２−ＣＨ２−ＣＨ２−のいずれかであり、Ｘは２〜６の平均値を有する）によって表されるエーテルジアミン、およびそれらの混合物との反応から誘導される工程と、
（ｉｉ）工程（ｉ）においてこうして形成された前記フィルムを、対象材料を中に置くために適する容器に成形する工程と、
（ｉｉｉ）工程（ｉｉ）において形成された前記容器内に前記対象材料を堆積させる工程と、
（ｉｖ）前記対象材料を前記容器内に保持するように前記容器を密封する工程と
を含むことを特徴とする方法。
（１０）  前記水溶性ポリアミドが５０未満の相対粘度を有するように前記水溶性ポリアミドを形成することを特徴とする（９）に記載の方法。
（１１）  前記水溶性ポリアミドの相対粘度が１０と３５の間であることを特徴とする（１０）に記載の方法。
（１２）  前記水溶性ポリアミドが、前記ポリアミドから形成された５〜１０ミルのフィルムが１時間未満で溶解するような溶解度を有することを特徴とする（９）に記載の方法。
（１３）  前記水溶性ポリアミドの溶解度が、前記５〜１０ミルのフィルムが３０分未満で溶解するような溶解度であることを特徴とする（１２）に記載の方法。
（１４）  前記容器内に保持された材料が洗濯用洗剤または皿洗い機用洗剤であることを特徴とする（９）に記載の方法。
（１５）  対象材料内に散在させた水溶性ポリアミドを含むことによって対象材料のための包装を製造する方法であって、
（ｉ）包装しようとする前記材料を提供する工程と、
（ｉｉ）工程（ｉ）で提供された材料に、少なくとも１．０重量％の２３℃での水中溶解度を有する水溶性ポリアミドコポリマーであって、カプロラクタムと、アジピン酸および１４８〜３９６の分子量を有し、一般式
Ｈ２Ｎ−Ｒ１−Ｏ−Ｒ２−Ｏ−Ｒ１−ＮＨ２
（式中、Ｒ１およびＲ２は−ＣＨ２−ＣＨ２−または−ＣＨ２−ＣＨ２−ＣＨ２−のいずれかである）、
Ｈ２Ｎ−Ｒ１（−Ｏ−ＣＨ２−ＣＨ２−）ｘＯ−Ｒ１−ＮＨ２
（式中、Ｒ１は−ＣＨ２−ＣＨ２−または−ＣＨ２−ＣＨ２−ＣＨ２−のいずれかであり、Ｘは２〜６の平均値を有する）によって表されるエーテルジアミン、およびそれらの混合物との反応から誘導される水溶性ポリアミドコポリマーを散在させる工程と、
（ｉｉｉ）工程（ｉｉ）において前記水溶性ポリアミドを散在させた工程（ｉ）における前記材料を対象用途のために適する固体形状に成形する工程と
を含むことを特徴とする方法。
（１６）  前記固定形状がタブレットまたはブリケットのいずれかであることを特徴とする（１５）に記載の方法。